(57)【要約】【課題】低周波帯域から高周波帯域までの広い周波数帯域の騒音を低減することができる遮音天井装置を提供する。【解決手段】２階建て以上の建物における上階側床部Ｆの下方に設けられる下階側の遮音天井装置であって、上階側床部Ｆの下方に天井支持フレーム１を固定し、天井支持フレーム１の上部側には表面に錘２を一定間隔で規則的に固定した可撓性のシート３を張架し、錘２付きシート３の下側に空気層４を介してグラスウール等の吸音層５を設け、吸音層５の下側に位置する天井支持フレーム１の下部側に天井下地６を介して透過損失の大きな石膏ボード等の天井板７を配設してなる。【選択図】図１
2007085056.tif 000002
【特許請求の範囲】
【請求項１】
２階建て以上の建物における上階側床部の下方に設けられる下階側の遮音天井装置であって、上階側床部の下方に天井支持フレームを固定し、この天井支持フレームの上部側には全面に亘って錘を一定間隔で規則的に固定した可撓性のシートを張架し、この錘付きシートの下側に空気層を介してグラスウール等の吸音層を設け、この吸音層の下側に位置する天井支持フレームの下部側に天井下地を介して透過損失の大きな石膏ボード等の天井板を配設してなる遮音天井装置。
【請求項２】
２階建て以上の建物における上階側床部の下方に設けられる下階側の遮音天井装置であって、上階側床部の下方に天井支持フレームを固定し、この天井支持フレームの上部側にグラスウール等の吸音層を設け、この吸音層の下側に空気層を介して配置される、全面に亘って錘を一定間隔で規則的に固定した可撓性のシートを天井支持フレームに張架し、この錘付きシートの下側に空気層を介してグラスウール等の吸音層を設け、この吸音層の下側に位置する天井支持フレームの下部側に天井下地を介して透過損失の大きな石膏ボード等の天井板を配設してなる遮音天井装置。
【請求項３】
前記錘付きシートは、その一方向両端部を天井支持フレームの一方向両端側の枠材に巻き掛け、この両端巻き掛け端部どうしをターンバックルを介して線条材により対向方向に引張状態に連結してなる請求項１又は２に記載の遮音天井装置。
【請求項４】
前記錘付きシートは、その一方向両端部を天井支持フレームの一方向両端側の枠材に巻き掛け、この両端巻き掛け端部どうしをターンバックルを介して線条材により対向方向に引張状態に連結すると共に、当該シートの他方向両端部を天井支持フレームの他方向両端側の枠材に固定してなる請求項１又は２に記載の遮音天井装置。
【発明の詳細な説明】
【技術分野】
【０００１】
本発明は、２階建て以上の建物における上階側の床部の下方に設けられる下階側の遮音天井装置に関するものである。
【背景技術】
【０００２】
従来の２階建て以上の中高層住宅、特に鉄骨構造住宅において、上階側床部の下方に設けられる下階側の天井装置は、上階側床部に配設されているＨ形鋼からなる梁材に吊り金具を介して天井下地を設け、この天井下地の下部側にグラスウールやロックウール等からなる吸音層を形成し、この吸音層の下側に位置する天井下地の下部に石膏ボード等からなる天井板を配設したものが多く採用されている。しかし、このような遮音天井装置では、高周波帯域の騒音はグラスウール等の吸音層による吸音作用と石膏ボード等の天井板による遮音作用によって低減できるが、特に遮音が困難な低周波帯域の騒音を低減することができない。
【０００３】
グラスウール等の吸音層による吸音は、多孔質中での音の振動エネルギーを熱エネルギーに変換して吸収する方法であり、遮音は、重量の重い材料を用いて音の透過を防ぐ方法が一般的であるが、これらの方法以外として、例えば特許文献１に記載された騒音防止方法がある。これは、張力を与え且つ面的に細かく分割した薄膜に、音源よりの音波を透過させることにより、薄膜に振動を生じさせて分割された薄膜の各部分より位相が異なる種々の音波が放射され、音波の干渉を利用して騒音の低減を行なう方法であって、低周波帯域の騒音を低減することができるとされている。
【特許文献１】特公平５−２９９２０号公報
【発明の開示】
【発明が解決しようとする課題】
【０００４】
上記特許文献１の騒音防止方法は、これを天井装置に適用するにあたっては、工場等で一定の大きさにパネル化したものを建設現場で隙間無く敷設するようにすることが考えられるが、パネル化した場合には、現場でのパネルの敷設が難しく、施工時の誤差によってどうしてもパネル相互間に隙間が生じ、また特に重量床衝撃音に対しては、パネル相互が振動してぶつかり合い、新たな騒音を発生するなどの影響で期待する効果が出ない。
【０００５】
本発明は、上記の課題に鑑みてなされたもので、低周波帯域から高周波帯域までの広い周波数帯域の騒音を有効に低減できると共に、建設現場での施工が容易となる遮音天井装置を提供することを目的とする。
【課題を解決するための手段】
【０００６】
上記課題を解決するための手段を、後述する実施形態の参照符号を付して説明すると、請求項１に係る発明は、２階建て以上の建物における上階側床部Ｆの下方に設けられる下階側の遮音天井装置であって、上階側床部Ｆの下方に天井支持フレーム１を固定し、この天井支持フレーム１の上部側には表面に錘２を一定間隔で規則的に固定した可撓性のシート３を張架し、この錘２付きシート３の下側に空気層４を介してグラスウール等の吸音層５を設け、この吸音層５の下側に位置する天井支持フレーム１の下部側に天井下地６を介して透過損失の大きな石膏ボード等の天井板７を配設してなることを特徴とする。
【０００７】
請求項２に係る発明は、２階建て以上の建物における上階側床部Ｆの下方に設けられる下階側の遮音天井装置であって、上階側床部Ｆの下方に天井支持フレーム３１を固定し、この天井支持フレーム３１の上部側にグラスウール等の吸音層２５を設け、この吸音層２５の下側に空気層２７を介して配置される、表面に錘２を一定間隔で規則的に固定した可撓性のシート３を天井支持フレーム３１に張架し、この錘２付きシート３の下側に空気層４を介してグラスウール等の吸音層５を設け、この吸音層５の下側に位置する天井支持フレーム３１の下部側に天井下地６を介して透過損失の大きな石膏ボード等の天井板７を配設してなることを特徴とする。
【０００８】
請求項３は、請求項１又は２に記載の遮音天井装置において、前記錘２付きシート３は、その一方向両端部を天井支持フレーム１，３１の一方向両端側の枠材８ａ，８ａに巻き掛け、この両端巻き掛け端部どうしをターンバックル２０を介して線条材２１により対向方向に引張状態に連結してなることを特徴とする。
【０００９】
請求項４は、請求項１又は２に記載の遮音天井装置において、前記錘２付きシート３は、その一方向両端部を天井支持フレーム１，３１の一方向両端側の枠材８ａ，８ａに巻き掛け、この両端巻き掛け端部どうしをターンバックル２０を介して線条材２１により対向方向に引張状態に連結すると共に、当該シートの他方向両端部を天井支持フレームの他方向両端側の枠材８ｂ，８ｂに固定してなることを特徴とする。
【発明の効果】
【００１０】
上記解決手段による発明の効果を、後述する実施形態の参照符号を付して説明すると、請求項１に係る発明によれば、上階側床部Ｆから、天井支持フレーム１の上部側に張架された錘２付きシート３に騒音が入射すると、下方の吸音層５との間に空気層４を形成したシート３の全体が騒音の低音部分によって有効に振動し、同時に錘２によって、シート３全体の振動とは別に部分的な振動が錘２の配置箇所に生じ、この部分的な振動とシート３全体の振動とが相互作用で打ち消し合ってシート３全体の振動が減衰し、このシート３全体の振動の減衰によって、騒音の低周波帯域が遮音される。しかして、錘２付きシート３によって遮音できなかった騒音の一部は吸音層５によって吸収される。更に残る中周波帯域及び高周波帯域の騒音は、透過損失の大きな石膏ボード等の天井板７により遮音される。従って、低周波帯域から高周波帯域までの広い周波数帯域の騒音を有効に低減することができる。
【００１１】
また、この遮音天井装置では、錘２付きシート３は、天井支持フレーム１に張架されるから、このシート３を天井全体に隙間無く張り渡すことができて不連続部が生じず、遮音性能を十分に発揮することができると共に、現場施工が容易となる。
【００１２】
請求項２に係る発明によれば、上階側の床部Ｆからの騒音が天井支持フレーム３１の最上部にある吸音層２５に入ると、一部の騒音、主として中周波帯域及び高周波帯域がこの吸音層２５に吸収されて遮音され、この吸音層２５で吸収されなかった騒音が錘２付きシート３に入射すると、下方の吸音層５との間に空気層４を形成したシート３の全体が騒音の低音部分によって有効に振動し、同時に錘２によって、シート３全体の振動とは別に部分的な振動が錘２の配置箇所に生じ、この部分的な振動とシート３全体の振動とが相互作用で打ち消し合って、シート３全体の振動が減衰し、このシート３全体の振動の減衰によって、騒音の低周波帯域が遮音される。しかして、錘２付きシート３で遮音できなかった騒音は吸音層５によって吸収され、更に残る中周波帯域及び高周波帯域の騒音は天井板７により遮音される。従って、低周波帯域から高周波帯域までの広い周波数帯域の騒音をより有効に低減することができる。また、錘２付きシート３は、天井支持フレーム１に張架されているから、このシート３を天井全体に隙間無く張り渡すことができて不連続部が生じず、遮音性能を十分に発揮することができると共に、現場施工が容易となる。
【００１３】
請求項３に係る発明によれば、錘２付きシート３の一方向両端部を天井支持フレーム１の一方向両端側の枠材８ａ，８ａに巻き掛け、このシート３の両端巻き掛け端部どうしをターンバックル２０を介して線条材２１により対向方向に引張状態に連結しているから、天井支持フレーム１に張った錘２付きシート３を一方向に緩ませることなく緊張状態に保持することができ、それによって低周波帯域の騒音を有効に遮音することができる。
【００１４】
請求項４に係る発明によれば、錘２付きシート３の他方向両端部を天井支持フレーム１の他方向両端側の枠材８ｂ，８ｂに固定しているから、天井支持フレーム１に張った錘２付きシート３を一方向及びこれと直交する他方向の何れの方向にもに緩ませることなく緊張状態に保持することができ、それによって低周波帯域の騒音をより一層有効に遮音することができる。
【発明を実施するための最良の形態】
【００１５】
以下に本発明の好適な実施形態を図面に基づいて説明すると、図１の(a) は本発明に係る遮音天井装置を示す一部省略平面図、(b) は(a) のＸ−Ｘ線断面図であり、図２は図１の(a) のＹ−Ｙ線断面図である。この遮音天井装置は、例えば３階建て鉄骨構造住宅における夫々上階側床部の下方に設けられる下階側の遮音天井装置であって、上階側床部Ｆの下方に下階側天井の全域に亘るような天井支持フレーム１を固定し、この天井支持フレーム１の上部側に、表面に錘２を一定間隔で規則的に固定した可撓性のシート３を張架し、この錘２付きシート３の下側に空気層４を介してグラスウールやロックウール等によってマット状に形成される吸音層５を設け、この吸音層５の下側に位置する天井支持フレーム１の下部側に天井下地６を介して透過損失の大きな石膏ボード等からなる天井板７を配設してなるものである。尚、床部Ｆは例えば発泡コンクリートからなるもので、例えばＨ形鋼からなる梁材１１の上に載設される。
【００１６】
図３は錘２付きシート３を全面的に広げた状態の平面図で、このシート３が張架される天井支持フレーム１を仮想線で示している。図４の(a) は天井支持フレーム１の一部を示す斜視図、(b) は錘２付きシート３を張架した状態での一部斜視図である。これらの図面及び図１を参照すれば分かるように、天井支持フレーム１は、前後方向に延びる複数の縦枠材８ａと左右方向に延びる複数の横枠材８ｂとを格子組してなる上部フレーム８と、この上部フレーム８とほぼ同様に複数の縦枠材９ａと複数の横枠材９ｂとを格子状に枠組みしてなる下部フレーム９と、これらの上部フレーム８と下部フレーム９とを上下方向所要間隔で連結する複数の連結枠材１０とによって構成され、これらの枠材８ａ，８ｂ，９ａ，９ｂは夫々例えば鋼製パイプからなり、そして上部フレーム８の所要箇所には天井支持フレーム１を梁材１１に懸吊して固定するための懸吊手段１２が設けられている。
【００１７】
各懸吊手段１２は、図５の(d) に示すように、下端部を天井支持フレーム１の上部フレーム８に固定した吊りボルト１３からなるもので、吊りボルト１３の上端部には掛止部材１４の一端部を水平周りに回動可能に取り付けて、この掛止部材１４の他端部をＨ形鋼からなる梁材１１の下部フランジ１１ａに掛止させるようにしたものである。１５は掛止部材取付用ボルトである。尚、この実施形態では、上階側床部Ｆの下方に天井支持フレーム１を固定するのに、上記のような懸吊手段１２を採用しているが、このような懸吊手段１２に限るものではなく、天井支持フレーム１を下階側の床部上に立設した支柱等を介して天井支持フレーム１を支持固定するようなものでもよい。
【００１８】
錘２付きシート３は、図１〜図５には図示を省略しているが、図６から分かるように、シート３の周辺部を除いてその全面に亘り錘１６を一定間隔で規則的に固定したもので、この実施形態では、シート３として、例えば厚さ０．２７ｍｍの塩化ビニルシートを使用し、このシート３に、１個の重量が例えば５０〜２００グラムの錘２を、図６の(a) に示すように錘２どうしの左右方向及び前後方向の間隔が例えば５０〜３００ｍｍとなるように一定間隔で規則的に取り付けている。
【００１９】
錘２をシート３に取り付けるには、図６の(b) ，(c) に示すように、錘２を、係合凸部２ａｏを有する雄部材２ａと、係合凸部２ａｏが係合可能な係合凹部２ｂｏを有する雌部材２ｂとで形成し、しかしてシート３を挟んで例えばその上面側に雄部材２ａを配置し、下面側に雌部材２ｂを配置し、この状態から雄部材２ａの係合凸部２ａｏを雌部材２ｂの係合凹部２ｂｏに突入係合させることによって、雄雌両部材２ａ，２ｂを合体させると共に、シート３の所定位置に簡単容易に取付固定することができる。
【００２０】
尚、天井支持フレーム１と錘２付きシート３の具体的寸法の一例を参考までに示せば、図１の(a) に示すように、上部フレーム８の前後方向長さＡは３６６０ｍｍ、その左右方向長さＢは２６６０ｍｍ、上部フレーム８の縦枠材８ａと横枠材８ｂとで区画される矩形状区画部の前後方向長さＣ及び左右方向長さＤは夫々１０００ｍｍであり、各枠材８ａ，８ｂ，９ａ，９ｂのパイプ外径は約２７ｍｍである。またシート３は、図３に示すように前後方向長さａが天井支持フレーム１の前後方向長さＡと同じ３６６０ｍｍであり、その左右方向長さｂは、天井支持フレーム１の左右方向長さＢよりも長い３０６０ｍｍとなっている。
【００２１】
また、錘２付きシート３には、図３及び図６の(a) に示すように、シート３の周縁部に沿って一定ピッチで鳩目（紐等を通す環状の小座金）１７が取り付けられ、また内側所要箇所には懸吊手段１２の吊りボルト１３を通すための鳩目１８が取り付けられている。
【００２２】
次に、上記のような構成よりなる遮音天井装置の施工方法について説明する。
【００２３】
先ず、天井支持フレーム１の上部フレーム８に錘２付きシート３を張架するにあたり、図４の(b) から分かるように、錘２付きシート３の左右方向両端部に夫々鋼製パイプなどからなる支持バー１９を取り付け、そして錘２付きシート３を上部フレーム８に上から被せた状態で、この錘２付きシート３の両端部を、上部フレーム８の左右両端の枠材８ａ，８ａに巻き掛けて折り返した状態で、左右方向に対向する両支持バー１９，１９に、ターンバックル２０を介設した線条材２１を複数本架け渡して連結し、各線条材２１に設けたターンバックル２０を締め付けることによって両支持バー１９，１９を対向方向に引き寄せるように引張し、それによりこの錘２付きシート３を上部フレーム８の上面に沿って左右方向に緊張させた状態とする。また、この錘２付きシート３の前後方向端部は、上部フレーム８の前後両端の枠材８ｂ，８ｂに固定する。
【００２４】
錘２付きシート３の左右方向両端部に夫々支持バー１９を取り付けるには、図５の(a)
に示すように、シート３の端縁部に設けてある鳩目１７に紐２２を通して、この紐２２により補強バー１９をシート３の端部に縛り付けるようにすればよい。また、この錘２付きシート３を上部フレーム８に上から被せる際には、上部フレーム８に突設されている懸吊手段１２の吊りボルト１３をシート３の鳩目１８に挿通させる。また、両支持バー１９，１９に、ターンバックル２０を介設した線条材２１を架け渡すには、各線条材２１の両端部に図５の(b) に示すようなフック２３を取り付けておいて、そのフック２３を補強バー１９に引っ掛けるようにすればよい。また、錘２付きシート３の前後方向端部を上部フレーム８の枠材８ｂ，８ｂに固定するには、図４及び図５の(c) に示すように鳩目１７に紐２２を通して、この紐２４でシート３の前後方向端部を枠材８ｂに縛り付けるようにすればよい。
【００２５】
上記のようにして天井支持フレーム１の上部フレーム８に錘２付きシート３を張架したならば、この天井支持フレーム１を懸吊手段１２によって梁材１１に懸吊して固定する。即ち、各懸吊手段１２の吊りボルト１２に取り付けてある掛止部材１４をＨ形鋼からなる梁材１１の下部フランジ１１ａに掛止させる。この掛止作業に際しては、天井支持フレーム１を水平姿勢のまま梁材１１のところまで持ち上げていくと、掛止部材１４が下部フランジ１１ａに当たることから、この天井支持フレーム１を梁材１１の手前側で左右方向に傾けて、左右何れか一方の端部側を一旦上階側床部Ｆの下面近くまで持ち上げた状態からその端部側の掛止部材１４を梁材１１の下部フランジ１１ａに掛止し、その後他方の端部側を持ち上げて、その端部側の掛止部材１４を梁材１１の下部フランジ１１ａに掛止すればよい。
【００２６】
こうして天井支持フレーム１を梁材１１に懸吊して固定した後、この天井支持フレーム１の下部フレーム９上に、グラスウールやロックウール等によってマット状に形成された吸音層５を載設すると共に、この吸音層５と、天井支持フレーム１の上部フレーム８に張架された錘２付きシート３との間に空気層４を形成する。
【００２７】
この後、吸音層５の下側に位置する天井支持フレーム１の下部側に天井下地６を介して透過損失の大きな石膏ボード等からなる天井板７を配設する。天井下地６は、図１の(b)
及び図２に概略的に示すように、天井支持フレーム１の下端部に取り付けた複数の野縁受け６ａと、これら野縁受け６ａの下面側にそれらと直交するように取り付けられた複数の野縁６ｂとからなるもので、野縁６ｂに天井板７をビスによって取り付け固定する。
【００２８】
上記のように施工される遮音天井装置において、上階側の床部Ｆから、天井支持フレーム１の上部側に張架された錘２付きシート３に騒音が入射すると、シート３全体は騒音の低音部分によって振動する。同時に錘２によって、シート３全体の振動とは別に部分的な振動が錘２の配置箇所に生ずる。この部分的な振動とシート３全体の振動とが相互作用で打ち消し合って、シート３全体の振動が減衰する。このシート３全体の振動の減衰によって、騒音の低周波帯域（例えば５０Hz〜８０Hz）が遮音される。この場合、錘２付きシート３とこれの下方の吸音層５との間に空気層５を介在させているから、シート３の振動を有効に行なわせることができる。
【００２９】
しかして、錘２付きシート３によって遮音できなかった騒音は、グラスウール等からなる吸音層５によって吸収される。更に残る中周波帯域及び高周波帯域の騒音（例えば４００Hz〜４０００Hz）は、透過損失の大きな石膏ボード等の天井板７により遮音される。従って、低周波帯域から高周波帯域までの広い周波数帯域の騒音を低減することができる。
【００３０】
また、この遮音天井装置では、錘２付きシート３は、錘２付きシート３は、前後方向に延びる複数の縦枠材８ａと左右方向に延びる複数の横枠材８ｂとを格子組してなる上部フレーム８上に張り渡されるから、中央部側がたるんだりするようなことがなく、シート状態を維持できて、遮音性能を十分に発揮することができる。この場合、シート３に、１個が５０〜２００グラム程度の錘２を左右方向及び前後方向の間隔が５０〜３００ｍｍとなるように取り付けた時、上部フレーム８の縦枠材８ａと横枠材８ｂとの格子組により区画される矩形状区画部の前後方向長さＣ及び左右方向長さＤ（図１の(a) 参照）を、夫々１ｍ〜２ｍ程度とすることにより、その上部フレーム８上に錘２付きシート３をたるませることなく良好に張架することができる。
【００３１】
そして、この遮音天井装置においては、錘２付きシート３の一方向（例えば左右方向）両端部を天井支持フレーム１の一方向両端側の枠材８ａ，８ａに巻き掛け、このシート３の両端巻き掛け端部どうしをターンバックル２０を介して線条材２１により対向方向に引張状態に連結しているから、天井支持フレーム１の上部フレーム８に張った錘２付きシート３を一方向に緩ませることなく緊張状態に保持することができ、それによって低周波帯域の騒音を有効に遮音することができる。更に、錘２付きシート３の他方向（前後方向）両端部を天井支持フレーム１の他方向両端側の枠材８ｂ，８ｂに固定しているから、天井支持フレーム１の上部フレーム８に張った錘２付きシート３を一方向及びこれと直交する他方向の何れの方向にもに緩ませることなく緊張状態に保持することができ、それによって低周波帯域の騒音をより一層有効に遮音することができる。
【００３２】
図７は図１及び図２によって示される遮音天井装置の上部側に吸音層２５を設けてなる他の遮音天井装置を示すもので、図７の(a) は図１の(b) に対応する断面図、図７の(b)
は図２に対応する図面である。即ち、この遮音天井装置は、上階側床部Ｆの下方に天井支持フレーム３１を固定し、この天井支持フレーム３１の上部側にグラスウールやロックウール等からなる吸音層２５を設け、この吸音層２５の下側に空気層２７を介して配置される、表面に錘２を一定間隔で規則的に固定した可撓性のシート３を天井支持フレーム３１に張架し、この錘２付きシート３の下側に空気層４を介してグラスウール等の吸音層５を設け、この吸音層５の下側に位置する天井支持フレーム３１の下部側に天井下地６を介して透過損失の大きな石膏ボード等の天井板７を配設したものである。
【００３３】
天井支持フレーム３１は、図４に示されるような天井支持フレーム１の上側に最上部フレーム２６を増設したような構造のもので、天井支持フレーム１の同じ部材については同じ符号を示して説明を省略する。最上部フレーム２６は、懸吊手段１２を介して上部フレーム８に一体的に連結されたもので、この最上部フレーム２６の上面側にグラスウール等からなる吸音層２５を配設し、この吸音層２５と下方の錘２付きシート３との間に空気層２７を形成している。他の構造については、図１〜図６により説明した前記遮音天井装置と同じであるため、説明を省略する。
【００３４】
この図７に示すような構成よりなる遮音天井装置によれば、上階側の床部Ｆからの騒音が、天井支持フレーム３１の最上部フレーム２６に配設された吸音層２５に入ると、一部の騒音（主として中周波帯域及び高周波帯域）がこの吸音層２５に吸収されて遮音され、この吸音層２５で吸収されなかった騒音が、上部フレーム８に張架された錘２付きシート３に入射すると、このシート３全体が騒音の低音部分によって振動し、同時に錘２によって、シート３全体の振動とは別に部分的な振動が錘２の配置箇所に生じ、この部分的な振動とシート３全体の振動とが相互作用で打ち消し合ってシート３全体の振動が減衰する。このシート３全体の振動の減衰によって、騒音の低周波帯域が遮音される。この場合も、錘２付きシート３とこれの下方の吸音層５との間に空気層５を介在させているから、シート３の振動を有効に行なわせることができる。しかして、錘２付きシート３によって遮音できなかった騒音は、グラスウール等からなる吸音層５によって吸収される。更に残る中周波帯域及び高周波帯域の騒音は、透過損失の大きな石膏ボード等の天井板７により遮音される。従って、低周波帯域から高周波帯域までの広い周波数帯域の騒音をより有効に低減することができる。
【００３５】
また、上述した図１及び図７の何れの遮音天井装置においても、錘２付きシート３は、天井支持フレーム１に張架されるから、このシート３を天井全体に隙間無く張り渡すことができて不連続部が生じず、遮音性能を十分に発揮することができると共に、現場施工が容易となる。
【図面の簡単な説明】
【００３６】
【図１】(a) は本発明に係る遮音天井装置を示す一部省略平面図、(b) は(a) のＸ−Ｘ線断面図である。
【図２】図１の(a) のＹ−Ｙ線断面図である。
【図３】錘付きシートを全面的に広げた状態の平面図である。
【図４】(a) は天井支持フレームの一部を示す斜視図、(b) は錘付きシートを張架した状態での一部斜視図である。
【図５】(a) は錘付きシートの左右の巻き掛け端部を線条材により対向方向に引張している状態を示す拡大断面図、(b) は錘付きシートの巻き掛け端部に取り付けた支持バーに線条材端部に取り付けたフックを引っ掛ける状態を示す拡大図、(c) は錘付きシートの前後方向端部を天井支持フレームの前後端部側の枠材に固定する状態を示す拡大図、(d)は懸吊手段の取付状態を示す拡大図である。
【図６】(a) は錘付きシートの一部拡大平面図、(b) 及び(c) は錘の取付状態を示す断面図である。
【図７】本発明に係る他の遮音天井装置を示すもので、(a) は図１の(b) に対応する断面図、(b) は図２に対応する図面である。
【符号の説明】
【００３７】
１，３１      天井支持フレーム
２            錘
３            シート
４，２７      空気層
５，２５      吸音層
６            天井下地
７            天井板
８            天井支持フレームの上部フレーム
９            天井支持フレームの下部フレーム
１２          懸吊手段
２０          ターンバックル
２１          線条材
【図１】
2007085056.tif 000003
【図２】
2007085056.tif 000004
【図３】
2007085056.tif 000005
【図４】
2007085056.tif 000006
【図５】
2007085056.tif 000007
【図６】
2007085056.tif 000008
【図７】
2007085056.tif 000009